(57)【要約】【課題】ガラスの切断時に発生するガラス切屑を容易かつ完全に除去できる、粘着シートに貼り付けられたガラス片の製造方法を提供する。【解決手段】板状のガラス２に、第１粘着シート１を貼り付けた後（ａ）、ガラス２を刃３により切断して複数のガラス片２ａに分離する（ｂ）。第１粘着シート１の貼付面とは反対側のガラス片２ａの面に、第２粘着シート４を貼り付ける（ｃ）。第１粘着シート１をガラス片２ａから剥離する（ｄ）。ガラス２の切断工程により発生したガラス切屑５が第１粘着シート１に付着した状態で、第１粘着シート１を剥離するため、各ガラス片２ａが第２粘着シート４に貼り付けられた状態でばらばらになることなく、ほとんどのガラス切屑５が第１粘着シート１に付着して除去される。【選択図】図１
2006313921.tif 000002
【特許請求の範囲】
【請求項１】
半導体装置の蓋部として用いられる基体片であって、第１粘着シートに貼り付けられた基体を複数の基体片に切断し、前記第１粘着シートに貼り付けられた面と反対側の前記基体片の面に第２粘着シートを貼り付けることを特徴とする粘着シートに貼り付けられた基体片の製造方法。
【請求項２】
半導体装置の蓋部として用いられる基体片であって、第１粘着シートに貼り付けられた基体を複数の基体片に切断し、前記第１粘着シートに貼り付けられた面と反対側の前記基体片の面に第２粘着シートを貼り付け、前記第１粘着シートを前記基体片から剥離することを特徴とする粘着シートに貼り付けられた基体片の製造方法。
【請求項３】
前記基体の前記第１粘着シートに貼り付けられた面と反対側の面には膜が形成されており、前記第１粘着シートを剥離した後に、前記基体片の前記第１粘着シートに貼り付けられていた面に第３粘着シートを貼り付けることを特徴とする請求項２記載の粘着シートに貼り付けられた基体片の製造方法。
【請求項４】
前記基体の前記第１粘着シートに貼り付けられた面と反対側の面には膜が形成されており、前記第１粘着シートを剥離した後に、前記基体片の前記第１粘着シートに貼り付けられていた面に第３粘着シートを貼り付け、前記第２粘着シートを前記基体片から剥離することを特徴とする請求項２記載の粘着シートに貼り付けられた基体片の製造方法。
【発明の詳細な説明】
【技術分野】
【０００１】
本発明は、粘着シートに貼り付けられた例えばガラス片，シリコン基板片などの複数の基体片を製造する方法に関する。
【背景技術】
【０００２】
ウエハ状態のチップの各イメージセンサ部を覆うようにガラスを貼り付け、各チップを分離することにより、イメージセンサ部でのキズによる損傷またはゴミの付着を防止する技術が開示されている（例えば、特許文献１参照）。しかしながら、特許文献１には、イメージセンサ部に貼り付けられる小片状のガラスをどのように製造するかに関しては一切記載されていない。
【０００３】
また、紫外線による書込み／消去可能なメモリの半導体素子（ＥＰＲＯＭ）、またはＣＣＤ等の受光部を有する半導体素子のパッケージに備え付けられる蓋部として用いられるガラス片の製造手法が提案されている（例えば、特許文献２参照）。
【特許文献１】特開平３−１５１６６６号公報
【特許文献２】特開平５−４１４６１号公報
【発明の開示】
【発明が解決しようとする課題】
【０００４】
特許文献２にあっては、ガラス片を製造するためには、ガラス板を切断する必要があるが、その切断の際に生じるガラスの切屑の除去が不十分であるという問題がある。図６は、ガラス片を製造する従来の工程を示す図である。板状のガラス４２に、粘着シート４１を貼り付ける（図６（ａ））。次に、刃４３を用いてガラス４２を切断し、複数のガラス片４２ａに分離する（図６（ｂ））。そして、分離されたガラス片４２ａを１枚ずつ粘着シート４１から剥がして、例えば半導体素子のパッケージの蓋部として使用する。
【０００５】
図７は、図６（ｂ）の領域Ａにおける拡大図である。図６（ｂ）に示すガラス４２の切断時にガラス切屑４５が発生する。発生したガラス切屑４５は静電気によりガラス片４２ａに付着する。ガラス切屑４５が付着した状態のガラス片４２ａを半導体装置に利用した場合、そのガラス切屑４５が半導体装置の不良の原因になる場合がある。よって、ガラス切屑４５がガラス片４２ａに付着しないように、発生したガラス切屑４５を除去する必要がある。そこで、気体噴吹き付けまたは水洗浄にてガラス切屑４５を除去する手法が、従来から実施されているが、特に切断部の隅角部位（図７の領域Ｂ）では、除去用の気体または水が十分に到達せず、ガラス切屑４５が完全に除去されずに残存してしまうという問題がある。
【０００６】
本発明は斯かる事情に鑑みてなされたものであり、例えばガラスなどの基体の切断時に発生する基体切屑を容易かつ略完全に除去できる粘着シートに貼り付けられた基体片の製造方法を提供することを目的とする。
【０００７】
本発明の他の目的は、基体片の一面に形成した膜に付着したゴミを除去できる粘着シートに貼り付けられた基体片の製造方法を提供することにある。
【課題を解決するための手段】
【０００８】
本発明に係る粘着シートに貼り付けられた基体片の製造方法は、半導体装置の蓋部として用いられる基体片であって、第１粘着シートに貼り付けられた基体を複数の基体片に切断し、前記第１粘着シートに貼り付けられた面と反対側の前記基体片の面に第２粘着シートを貼り付けることを特徴とする。
【０００９】
本発明にあっては、第１粘着シートに貼り付けられた基体を複数の基体片に切断した後、第１粘着シートに貼り付けられた面と反対側の基体片の面に第２粘着シートを貼り付ける。よって、このようにしておけば、第１粘着シートを基体片から剥離することにより、切断時に発生した基体切屑は、切断部の隅角部位に存する基体切屑も含めてほとんど全てが第１粘着シートに付着した状態で簡単に除去される。
【００１０】
本発明に係る粘着シートに貼り付けられた基体片の製造方法は、半導体装置の蓋部として用いられる基体片であって、第１粘着シートに貼り付けられた基体を複数の基体片に切断し、前記第１粘着シートに貼り付けられた面と反対側の前記基体片の面に第２粘着シートを貼り付け、前記第１粘着シートを前記基体片から剥離することを特徴とする。
【００１１】
本発明にあっては、第１粘着シートに貼り付けられた基体を複数の基体片に切断した後に、第１粘着シートに貼り付けられた面と反対側の基体片の面に第２粘着シートを貼り付け、その後、第１粘着シートを基体片から剥離する。よって、切断時に発生した基体切屑は、切断部の隅角部位に存する基体切屑も含めてほとんど全てが第１粘着シートに付着した状態で簡単に除去される。
【００１２】
本発明に係る粘着シートに貼り付けられた基体片の製造方法は、前記基体の前記第１粘着シートに貼り付けられた面と反対側の面には膜が形成されており、前記第１粘着シートを剥離した後に、前記基体片の前記第１粘着シートに貼り付けられていた面に第３粘着シートを貼り付けることを特徴とする。
【００１３】
本発明にあっては、上述したように第１粘着シートを剥離した後に、第１粘着シートが貼り付けられていた側の面に第３粘着シートを貼り付ける。よって、このようにしておけば、第２粘着シートを基体片から剥離することにより、基体片の膜に付着していたゴミは、第２粘着シートに付着した状態で簡単に除去される。また、この第２粘着シートは、基体片の膜を保護する機能も果たす。
【００１４】
本発明に係る粘着シートに貼り付けられた基体片の製造方法は、前記基体の前記第１粘着シートに貼り付けられた面と反対側の面には膜が形成されており、前記第１粘着シートを剥離した後に、前記基体片の前記第１粘着シートに貼り付けられていた面に第３粘着シートを貼り付け、前記第２粘着シートを前記基体片から剥離することを特徴とする。
【００１５】
本発明にあっては、上述したように第１粘着シートを剥離した後に、第１粘着シートが貼り付けられていた側の面に第３粘着シートを貼り付け、その後、第２粘着シートを基体片から剥離する。よって、基体片の膜に付着していたゴミは、第２粘着シートに付着した状態で簡単に除去される。
【発明の効果】
【００１６】
本発明の粘着シートに貼り付けられた基体片の製造方法では、第１粘着シートの剥離によって基体切屑を除去するようにしたので、ほとんどの基体切屑を容易に除去することができる。
【００１７】
本発明の粘着シートに貼り付けられた基体片の製造方法では、第２粘着シートの剥離によって膜に付着したゴミを除去するようにしたので、ほとんどのゴミを容易に除去することができる。
【発明を実施するための最良の形態】
【００１８】
以下、本発明をその実施の形態を示す図面を参照して具体的に説明する。以下の例では、基体として板状のガラス、基体片としてガラス片を用いる場合について説明する。ガラス及びガラス片と粘着シートとの配置における上下関係など、本発明は、以下の実施の形態に限定されるものではない。
【００１９】
〈実施の形態１〉
図１は、本発明に係る粘着シートに貼り付けられた基体片の製造方法の工程の一例を示す図である。板状のガラス２に、第１粘着シート１の粘着面を貼り付ける（図１（ａ））。次に、ダイシング装置等を用いてガラス２を刃３により切断し、複数のガラス片２ａに分離する（図１（ｂ））。この際、必要に応じて、気体噴き付け（例えば窒素ブロー）によって、ガラス切屑を除去するようにしてもよい。また、第１粘着シート１が充分な粘着力を維持できる限りにあっては、水や溶液等の洗浄液を用いた洗浄を行ってもよい。
【００２０】
次いで、第１粘着シート１の貼付面とは反対側のガラス片２ａの面に、第２粘着シート４の粘着面を貼り付ける（図１（ｃ））。以上のようにして、請求項１に対応する、粘着シート（本例では第１粘着シート１及び第２粘着シート４）に貼り付けられた基体片（本例ではガラス片２ａ）を製造する。なお、これらの第１粘着シート１，第２粘着シート４として、例えば紫外線照射等の光照射により粘着力が低下する粘着シートを用いることができる。このような粘着シートを用いる場合には、後述する工程での第１粘着シート１の剥離処理を容易とするために、第２粘着シート４の貼り付け前に、光照射によって第１粘着シート１の粘着力を低下させておくことが好ましい。
【００２１】
次に、第１粘着シート１をガラス片２ａから剥離する（図１（ｄ））。以上のようにして、請求項２に対応して、粘着シート（本例では第２粘着シート４）に貼り付けられた基体片（本例ではガラス片２ａ）を製造する。
【００２２】
本発明でも、ガラス２の切断工程により、その切断部に基体切屑としてのガラス切屑５は発生する（図１（ｂ））。発生したガラス切屑５は、第１粘着シート１に付着している。そこで、第２粘着シート４を貼り付けた後に、ガラス切屑５が第１粘着シート１に付着した状態で、第１粘着シート１を剥離する。このようにすることにより、各ガラス片２ａが第２粘着シート４に貼り付けられた状態でばらばらになることなく、ほとんどのガラス切屑５を第１粘着シート１に付着させて除去することが可能である。なお、第１粘着シート１を剥離しても、例えば静電気によりガラス切屑５が第１粘着シート１でなくガラス片２ａに付着してガラス切屑５を除去できない場合には、気体噴き付けによってガラス切屑５を除去すようにすればよい。また、第２粘着シート４が充分な粘着力を維持できる限りにあっては、水や溶液等の洗浄液を用いた洗浄を行ってもよい。
【００２３】
〈実施の形態２〉
図２は、本発明に係る粘着シートに貼り付けられた基体片の製造方法の工程の他の例を示す図である。板状のガラス２に、第１粘着シート１の粘着面を貼り付ける（図２（ａ））。ガラス２の表面（第１粘着シート１との貼付面とは反対側の面）には、例えば物理的蒸着法を用いて形成された赤外線遮断膜６が設けられている。次に、ダイシング装置等を用いて赤外線遮断膜６付きのガラス２を刃３により切断し、複数のガラス片２ａに分離する（図２（ｂ））。この際、実施の形態１と同様に、必要に応じて、気体噴き付けまたは溶液洗浄を行ってもよい。
【００２４】
次いで、第１粘着シート１の貼付面とは反対側のガラス片２ａの面に、つまり赤外線遮断膜６上に、第２粘着シート４の粘着面を貼り付ける（図２（ｃ））。なお、これらの第１粘着シート１，第２粘着シート４として、例えば紫外線照射等の光照射により粘着力が低下する粘着シートを用いることができる。このような粘着シートを用いる場合には、後述する工程での第１粘着シート１の剥離処理を容易とするために、第２粘着シート４の貼り付け前に、光照射によって第１粘着シート１の粘着力を低下させておくことが好ましい。
【００２５】
次に、第１粘着シート１をガラス片２ａから剥離する（図２（ｄ））。実施の形態１と同様に、第２粘着シート４を貼り付けた後に、ガラス切屑５が第１粘着シート１に付着した状態で、第１粘着シート１を剥離するため、各ガラス片２ａが第２粘着シート４に貼り付けられた状態でばらばらになることなく、ほとんどのガラス切屑５を第１粘着シート１に付着させて除去することが可能である。なお、必要に応じて、気体噴き付けまたは溶液洗浄を行ってもよいことは、実施の形態１と同様である。
【００２６】
次に、ガラス片２ａの赤外線遮断膜６が設けられている面と反対側の面に、言い換えると第１粘着シート１が貼り付けられていた面に、第３粘着シート７の粘着面を貼り付ける（図２（ｅ））。以上のようにして、請求項３に対応する、粘着シート（本例では第２粘着シート４及び第３粘着シート７）に貼り付けられた、膜（本例では赤外線遮断膜６）を有する基体片（本例ではガラス片２ａ）を製造する。第２粘着シート４として、前述したように、例えば紫外線照射等の光照射により粘着力が低下する粘着シートを用いる場合には、後述する工程での第２粘着シート４の剥離処理を容易とするために、第３粘着シート７の貼り付け前に、光照射によって第２粘着シート４の粘着力を低下させておくことが好ましい。
【００２７】
次に、第２粘着シート４をガラス片２ａから剥離する（図２（ｆ））。以上のようにして、請求項４に対応する、粘着シート（本例では第３粘着シート７）に貼り付けられた、膜（本例では赤外線遮断膜６）を有する基体片（本例ではガラス片２ａ）を製造する。
【００２８】
赤外線遮断膜６の表面はガラス表面と比較して平滑性に欠けるため、ゴミが付着し易くなっている。よって、赤外線遮断膜６を設けたガラス片２ａでは、その表面にゴミが付着していることが多いと考えられる。実施の形態２では、このゴミを除去する。赤外線遮断膜６表面のゴミは、第２粘着シート４に付着している。そこで、第３粘着シート７を貼り付けた後に、ゴミが第２粘着シート４に付着した状態で、第２粘着シート４を剥離する。このようにすることにより、赤外線遮断膜６に付着されているほとんどのゴミを除去することが可能である。
【００２９】
なお、上述した例では、ガラス２（ガラス片２ａ）に赤外線遮断膜６を設ける場合について説明したが、設ける膜はこの赤外線遮断膜に限らず、光反射防止膜，透明導電膜，保護膜などの他の種類の膜であっても、同様の効果を奏することができる。
【００３０】
〈実施の形態３〉
図３は、本発明に係る半導体ウエハの製造方法の工程を示す図である。まず、上述した実施の形態１に従って製造された、第２粘着シート４に複数のガラス片２ａが貼り付けられた中間物を準備する（図３（ａ））。第２粘着シート４として、前述したように、例えば紫外線照射等の光照射により粘着力が低下する粘着シートを用いることができ、このような粘着シートを用いる場合には、後述する工程でのガラス片２ａの剥脱処理を容易とするために、事前に光照射によって第２粘着シート４の粘着力を低下させておくことが好ましい。
【００３１】
剥脱対象のガラス片２ａに対応する第２粘着シート４の裏面部分をピン１１で突き上げて、ガラス片２ａを第２粘着シート４から部分的に剥脱させた状態とした後（図３（ｂ））、吸着装置１２によりガラス片２ａを吸着して、ガラス片２ａを第２粘着シート４から剥脱する（図３（ｃ））。
【００３２】
その後、ガラス片２ａを吸着した吸着装置１２を、その表面に複数の接着層１３がパターン形成された半導体ウエハ１４上に移動させ、ガラス片２ａが接着層１３を介して半導体ウエハ１４に接着されるようにガラス片２ａの位置合わせを行った後に、吸着装置１２の吸着機能を解除して、ガラス片２ａを接着させる（図３（ｄ））。このような動作を繰り返すことにより、複数の基体片（本例ではガラス片２ａ）が接着された半導体ウエハ１４を製造する。
【００３３】
なお、図示しないが、半導体ウエハ１４において、ガラス片２ａで蓋部が形成された部分には、表面にマイクロレンズを有する受光部が形成されており、入射光を各画素の受光素子に集光する構成になっている。
【００３４】
実施の形態３では、ガラス切屑５がほとんど付着していないガラス片２ａを半導体ウエハ１４に接着することになるため、ガラス切屑５に起因する不良品の発生はほとんどない。
【００３５】
〈実施の形態４〉
図４は、本発明に係る半導体装置の製造方法の工程の一例を示す図である。図４（ａ）〜（ｄ）の工程は、実施の形態３の図３（ａ）〜（ｄ）の工程と同様であるため、同一部分には同一番号を付してそれらの説明を省略する。
【００３６】
図４（ａ）〜（ｄ）の工程にて製造された半導体ウエハ１４を、ダイシング装置等を用いて、分割線１４ａにおいて切断することにより、基体片（本例ではガラス片２ａ）が接着された半導体装置（本例では固体撮像装置１５）を製造する（図４（ｅ））。
【００３７】
なお、本発明に係る半導体装置としては、ＣＣＤ，ＣＭＯＳイメージャ等の固体撮像装置、ＥＰＲＯＭ等の半導体記憶装置など、ガラス片で蓋部を構成する半導体装置であれば、如何なる種類の半導体装置であってもよい。
【００３８】
〈実施の形態５〉
図５は、本発明に係る半導体装置の製造方法の工程の他の例を示す図である。図５（ａ）〜（ｃ）の工程は、実施の形態３の図３（ａ）〜（ｃ）の工程と同様であるため、同一部分には同一番号を付してそれらの説明を省略する。
【００３９】
ガラス片２ａを吸着した吸着装置１２を、受光部を有する半導体素子２１を収納したケース部材２２上に移動させ、ガラス片２ａが接着層２３を介してケース部材２２に接着されるようにガラス片２ａの位置合わせを行った後に、吸着装置１２の吸着機能を解除して、ガラス片２ａを接着させる（図５（ｄ））。このようにして、半導体素子２１を収納するケース部材２２に基体片（本例ではガラス片２ａ）を接着させた半導体装置を製造する。
【００４０】
なお、実施の形態３〜５にあっては、実施の形態１に従って製造されたガラス片２ａを使用する場合について説明したが、実施の形態２に従って製造された赤外線遮断膜６付きのガラス片２ａを使用する場合にも、同様に半導体ウエハまたは半導体装置を製造できることは勿論である。実施の形態３〜５において、実施の形態２に従って製造された赤外線遮断膜６付きのガラス片２ａを使用する場合、図３〜５に図示された第２粘着シート４が第３粘着シート７に置き換わり、図３〜５に図示されたガラス片２ａの図中上方に赤外線遮断膜６が配置されることになる。この場合、ガラス片２ａを反転させることなく、赤外線遮断膜６の配置面を半導体ウエハ１４から遠い方に配置できるので、固体撮像装置に適用すれば、赤外線遮断膜６にゴミが混入又は付着していても、それに起因する不良の発生を容易に低減することができる。
【００４１】
また、上述した例では、基体としてガラスを使用したが、ガラス以外に、シリコン基体等の半導体基体を用いることも可能であり、同様に本発明を適用できる。シリコン基体等の半導体基体を用いた半導体ウエハに適用した例としては、機能素子が形成されたシリコンウエハに、保護キャップ用のシリコン片を接着するものが挙げられる。そして、シリコン基体等の半導体基体を用いた半導体装置に適用した例としては、その保護キャップ用シリコン片が接着されたシリコンウエハを切断するものが挙げられる。
【図面の簡単な説明】
【００４２】
【図１】本発明に係る粘着シートに貼り付けられた基体片の製造方法の工程の一例を示す図である。
【図２】本発明に係る粘着シートに貼り付けられた基体片の製造方法の工程の他の例を示す図である。
【図３】本発明に係る半導体ウエハの製造方法の工程を示す図である。
【図４】本発明に係る半導体装置の製造方法の工程の一例を示す図である。
【図５】本発明に係る半導体装置の製造方法の工程の他の例を示す図である。
【図６】ガラス片を製造する従来の工程を示す図である。
【図７】図６（ｂ）の領域Ａにおける拡大図である。
【符号の説明】
【００４３】
１  第１粘着シート
２  ガラス（基体）
２ａ  ガラス片（基体片）
３  刃
４  第２粘着シート
５  ガラス切屑
６  赤外線遮断膜（膜）
７  第３粘着シート
１１  ピン
１２  吸着装置
１３  接着層
１４  半導体ウエハ
１５  固体撮像装置
２１  半導体素子
２２  ケース部材
２３  接着層
【図１】
2006313921.tif 000003
【図２】
2006313921.tif 000004
【図３】
2006313921.tif 000005
【図４】
2006313921.tif 000006
【図５】
2006313921.tif 000007
【図６】
2006313921.tif 000008
【図７】
2006313921.tif 000009